(57)【要約】      （修正有）【課題】シートの負荷能力を強化することができ、シートが折れることを避けるブランコ椅子を提供する。【解決手段】バックプレート１の上にシート２が設けられ、そのバックプレート１の左右両端に接続ラグ１１、その接続ラグ１１に可動的にリフティング継手１２が設けてあり、そのバックプレート１の下部に二つのスリーブ３が対称的に設置してあり、その二つのスリーブ３の間にＵ字型の支持ロッド４が配置され、そのＵ字型の支持ロッド４の内側に椅子背板５が配置され、その椅子背板５の裏側の端面に二つのスリーブ部６が対称的に設けられ、そのスリーブ部６がそのＵ字型の支持ロッド４に配置され、そのスリーブ部６とそのＵ字型の支持ロッド４の間はボルト６０１が設置してある。【選択図】図１
0003206178.tif 000002
【実用新案登録請求の範囲】
【請求項１】
ブランコ椅子において、
バックプレートを含み、そのバックプレートの上にシートが設けられ、そのシートの下部にそのバックプレートと合わせている溝があり、そのバックプレートの両端はその溝の外部に延ばしており、そのバックプレートのトップ部の両端に近い位置にはサスペンション穴が設けられ、そのバックプレートの左右両端に接続ラグが設けられ、その接続ラグに可動的にリフティング継手が設けてあり、そのリフティング継手はノックピンによってその接続ラグと繋げられ、そのバックプレートの下部に二つのスリーブが対称的に設置してあり、その二つのスリーブの間にU字型の支持ロッドが配置され、そのU字型の支持ロッドの間に第一ボルトが設けてあり、そのU字型の支持ロッドの内側に椅子背板が配置され、そのバックプレート裏側の端面に二つのスリーブ部が対称的に設けられ、そのスリーブ部がそのU字型の支持ロッドに配置され、そのスリーブ部とそのU字型の支持ロッドの間にはボルトが設置してあり、その椅子背板の前端面に第一クッションが設けてあり、その第一クッションに背中位置決め溝があり、そのシートのトップに第一溝を設置してあり、その第一溝内に第二クッションがはめ込まれ、その第二クッションにはヒップ位置決め溝があり、その第二クッションには滑り止め突出を設置してあり、その滑り止め突出はその第二クッション表面に均一的に分布し、そのバックプレートの下にストレージバスケットを設置してあり、そのストレージバスケットは二つのロッドによってそのバックプレートと固定連結され、そのストレージバスケットの外周に安全ブロックを設置してある
ことを特徴とするブランコ椅子。
【考案の詳細な説明】
【技術分野】
【０００１】
本実用新型は一種の新規ブランコ椅子に関する。
【背景技術】
【０００２】
ブランコは子供の玩具の一つであり、既存の技術ではのブランコに使用される椅子は簡単なプラスチック板で、その支持能力が有限で、折れやすい、同時に、椅子の後ろに位置制限装置がない、しかし、子供の自己コントロール能力が有限なので、後方に転倒しやすい、大きな安全リスクが存在している。
【考案の概要】
【考案が解決しようとする課題】
【０００３】
本実用新型は解決する必要な問題は一種の新規ブランコ椅子を提供すること、バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。設置された滑り止め突出によって滑り止め作用が発揮し、子供が遊ぶ時第二クッションから滑り出すことを防止でき、そのバックプレートの下にストレージバスケットを設けることによって、持ち物がストレージバスケットに置くことができ、子供が思う存分遊ぶことができる、と同時に、椅子背板はシートとの距離はU字型の支持ロッドを移動することによって調節し、使用に満足できる。バックプレートの両側に設置された可動的なリフティング継手によってこのブランコ椅子の移動と取り付けは易くなり、取り付けと外すことは便利で、使用に影響ない。本申請装置の構造は簡単で、コストが低い、製造にもやや便利で、普及することに相応しい。
【課題を解決するための手段】
【０００４】
一種の新規ブランコ椅子、其の特徴は：バックプレートを含め、そのバックプレートの上にシートが設けられ、そのシートの下部にそのバックプレートと合わせている溝があり、そのバックプレートの両端はその溝の外部に延ばしている、そのバックプレートのトップ部の両端に近い位置にはサスペンション穴が設けられ、そのバックプレートの左右両端に接続ラグ、その接続ラグに可動的にリフティング継手が設けてあり、そのリフティング継手はノックピンによってその接続ラグと繋げられ、そのバックプレートの下部に二つのスリーブが対称的に設置してあり、その二つのスリーブの間にU字型の支持ロッドが配置され、そのスリーブはそのU字型の支持ロッドの間に第一ボルトが設けてあり、そのU字型の支持ロッドの内側に椅子背板が配置され、そのバックプレート裏側の端面に二つのスリーブ部が対称的に設けられ、そのスリーブ部がそのU字型の支持ロッドに配置され、そのスリーブ部とそのU字型の支持ロッドの間はボルトが設置してある。その椅子背板の前端面に第一クッションが設けてあり、その第一クッションに背中位置決め溝があり、そのシートのトップに第一溝を設置してあり、その第一溝内に第二クッションがはめ込まれ、その第二クッションがヒップ位置決め溝があり、その第二クッションには滑り止め突出を設置してあり、その滑り止め突出はその第二クッション表面に均一的に分布し、そのバックプレートの下にストレージバスケットを設置してあり、そのストレージバスケットは二つのロッドによってそのバックプレートと固定連結され、そのストレージバスケットの外周に安全ブロックを設置してある。
【０００５】
優秀な技術案として、そのシート外部の四つの角部は円弧式固定され、そのシートはPVCプラスチック製である。
【０００６】
優秀な技術案として、そのバックプレートの外部の四つの角部は円弧式固定される。
【０００７】
優秀な技術案として、そのスリーブはそのバックプレートの間に溶接で固定され、そのU字型の支持ロッドはそのスリーブの間は移動し合わせている。
【考案の効果】
【０００８】
本実用新型の有益な効果は：バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。設置された滑り止め突出によって滑り止め作用が発揮し、子供が遊ぶ時第二クッションから滑り出すことを防止でき、そのバックプレートの下にストレージバスケットを設けることによって、持ち物がストレージバスケットに置くことができ、子供が思う存分遊ぶことができる、と同時に、椅子背板はシートとの距離はU字型の支持ロッドを移動することによって調節し、使用に満足できる。バックプレートの両側に設置された可動的なリフティング継手によってこのブランコ椅子の移動と取り付けは易くなり、取り付けと外すことは便利で、使用に影響ない。本申請装置の構造は簡単で、コストが低い、製造にもやや便利で、普及することに相応しい。
【図面の簡単な説明】
【０００９】
【図１】本実用新型の構造見取り図。
【図２】本実用新型のストレージバスケットの構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１と図面２に示された一種新規ブランコ椅子を参考してください、バックプレート１を含め、そのバックプレート1の上にシート2が設けられ、そのシート２の下部にそのバックプレート１と合わせている溝（図面なし）があり、そのバックプレート１の両端はその溝の外部に延ばしている、そのバックプレート1のトップ部の両端に近い位置にはサスペンション穴101が設けられ、そのバックプレート１の左右両端に接続ラグ11、その接続ラグ11に可動的にリフティング継手１２が設けてあり、そのリフティング継手12はノックピン13によってその接続ラグ11と繋げられ、そのバックプレート１の下部に二つのスリーブ3が対称的に設置してあり、その二つのスリーブ３の間にU字型の支持ロッド4が配置され、そのスリーブ３はそのU字型の支持ロッド4の間に第一ボルト421が設けてあり、そのU字型の支持ロッド4の内側に椅子背板５が配置され、その椅子背板５の裏側の端面に二つのスリーブ部6が対称的に設けられ、そのスリーブ部６がそのU字型の支持ロッド4に配置され、そのスリーブ部6とそのU字型の支持ロッド4の間はボルト601が設置してある。その椅子背板５の前端面に第一クッション511が設けてあり、その第一クッション511に背中位置決め溝512があり、そのシート2のトップに第一溝（図面なし）を設置してあり、その第一溝内に第二クッション211がはめ込まれ、その第二クッション211がヒップ位置決め溝212があり、その第二クッション211には滑り止め突出213を設置してあり、その滑り止め突出213はその第二クッション211表面に均一的に分布し、そのバックプレート１の下にストレージバスケット102を設置してあり、そのストレージバスケット102は二つの支持ロッド103によってそのバックプレート１と固定連結され、そのストレージバスケット102の外周に安全ブロック101を設置してある。
【００１２】
本実用新型の一つの好ましい実施例として、そのシート２外部の四つの角部は円弧式固定され、そのシート2はPVCプラスチック製である。
【００１３】
本実用新型の一つの好ましい実施例として、そのバックプレート１の外部の四つの角部は円弧式固定される。
【００１４】
本実用新型の一つの好ましい実施例として、そのスリーブ3はそのバックプレート１の間に溶接で固定され、そのU字型の支持ロッド4はそのスリーブ３の間は移動し合わせている。
【００１５】
本実用新型の有益な効果は：バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。設置された滑り止め突出によって滑り止め作用が発揮し、子供が遊ぶ時第二クッションから滑り出すことを防止でき、そのバックプレートの下にストレージバスケットを設けることによって、持ち物がストレージバスケットに置くことができ、子供が思う存分遊ぶことができる、と同時に、椅子背板はシートとの距離はU字型の支持ロッドを移動することによって調節し、使用に満足できる。バックプレートの両側に設置された可動的なリフティング継手によってこのブランコ椅子の移動と取り付けは易くなり、取り付けと外すことは便利で、使用に影響ない。本申請装置の構造は簡単で、コストが低い、製造にもやや便利で、普及することに相応しい。
【００１６】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206178.tif 000003
【図２】
0003206178.tif 000004